(57)【要約】【課題】ラベルの巻き付け時に外装枠が引きずられず、外装枠が適正位置からずれることがない、薄型の電池パックを提供する。【解決手段】素電池２の側面に両面粘着テープ３を貼付し、この両面粘着テープ３にスペーサ４を貼着する。さらに、スペーサ４の外側に保護回路部５を配し、組電池９を得る。そして、第１外装ケース６の一端面被覆部６ｂをその溝部にスペーサ４のリブ４ｅ，４ｆが嵌合するように取り付け、他端面被覆部６ｃをその溝部にリブ４ｇ，４ｈが嵌合するように取り付ける。第２外装ケース７も同様に、その溝部にスペーサ４のリブが嵌合するように取り付ける。そして、第１外装ケース６と第２外装ケース７とを嵌合させる。【選択図】図２
2007157452.tif 000002
【特許請求の範囲】
【請求項１】
平板状の素電池の側面の外側に、外部出力端子を有する保護回路基板を配し、該保護回路基板をリード板を介し前記素電池の端子に接続してなる組電池と、
該組電池の側面を覆う外装枠と
を備え、
該外装枠は、少なくとも１の分断部を有し、該分断部の対向する端部同士を嵌合する電池パックにおいて、
前記分断部と、該分断部に対向する前記組電池の側面との間に、該側面に沿って延在し、係止部を有するスペーサを備え、
前記外装枠の端部の近傍に、前記係止部を係止してあることを特徴とする電池パック。
【請求項２】
前記係止部は、前記スペーサの延在方向に延びるリブからなり、
前記外装枠の端部の近傍に、前記リブに嵌合する凹溝を備える請求項１に記載の電池パック。
【請求項３】
前記係止部は、前記スペーサの延在方向に延びる凹溝からなり、
前記外装枠の端部の近傍に、前記凹溝に嵌合するリブを備える請求項１に記載の電池パック。
【請求項４】
前記スペーサは、前記リード板と前記端子との間を絶縁する請求項１乃至３のいずれかに記載の電池パック。
【請求項５】
前記素電池は、一側面に電極端子が突設されており、
前記スペーサは、前記素電池の少なくとも前記電極端子が突設された側面に配してある請求項１乃至４のいずれかに記載の電池パック。
【請求項６】
前記スペーサが配される素電池の側面の長手端部が湾曲面をなし、該湾曲面の曲率半径が１．０以下である請求項１乃至５のいずれかに記載の電池パック。
【請求項７】
前記スペーサは、前記素電池の前記保護回路基板を配する側面と該保護回路基板との間に介在する基板当接部を連設してある請求項１乃至６のいずれかに記載の電池パック。
【発明の詳細な説明】
【技術分野】
【０００１】
本発明は、ビデオカメラ，モバイルコンピュータ，携帯電話機等の主として携帯電子機器の電源として利用される充放電可能な非水電解質二次電池、具体的にはリチウムイオン二次電池等を絶縁体の外装枠で包囲した電池パックに関する。
【背景技術】
【０００２】
近年、急速に普及しているビデオカメラ，モバイルコンピュータ，携帯電話機等の携帯電子機器の電源としては、充放電可能な直方体状の非水電解質二次電池、例えばリチウムイオン二次電池等が主として用いられている。
【０００３】
リチウムイオン二次電池においては、過充電及び過放電を防止するために一側面に電池電圧を制御するための保護回路基板が設けられており、これらを絶縁性の例えば合成樹脂製の外装ケースに収容した状態の電池パックとして電子機器に装着する。保護回路基板と電池との間は接続用のリード板により電気的に接続される。
【０００４】
図８は、従来の電池パックを示す分解斜視図、図９は、図８の電池パックの組電池の長手方向の縦断面図であり、図中、３１が電池パックである。
電池パック３１の素電池３２は、その内部に正極及び負極をセパレータを介して巻回した発電要素からなる非水電解質二次電池、具体的には例えばリチウムイオン二次電池等の二次電池を備え、この発電要素をアルミニウム又はアルミニウム合金製のケースに収納してなる。素電池３２の一端面には、絶縁板を介して負極端子３２ａが設けられており、この負極端子３２ａが設けられた部分以外の素電池３２の全体が正極（端子）とされる。
【０００５】
素電池３２の負極端子３２ａが設けられている一端面に隣接する一側面には、絶縁板３３及びスペーサ３４を介して保護回路部３５が取り付けられている。保護回路部３５の保護回路基板３５ａは、素電池３２の過充電又は過放電等を防止するための保護回路を備える。保護回路基板３５ａの素電池３２と対向する面に回路素子（図示せず）が実装されており、反対側、即ち外側の面の一端部側には、外部へ電力を取り出し、また逆に充電のために外部から電力を取り込むための正負極の電極端子３５ｂが金メッキにより設けられている。他端部側にはＰＴＣ（Positive Temperature Coefficient)素子３５ｃが設けられている。ＰＴＣ素子３５ｃは、素電池３２の温度が異常上昇したような場合に温度に感応して高抵抗となることにより、回路を遮断する保護素子である。そして、保護回路基板３５ａの両端部には、素電池３２の両端面に沿わせるリード板部３５ｄ，３５ｄが設けられている。
スペーサ３４は、保護回路基板３５ａと一致する形状を有する。絶縁板３３は、スペーサ３４と一致する形状を有する基盤部３３ａと、負極端子３２ａが設けられている側の端面に沿わせる端面部３３ｂとを備え、裏面に両面粘着テープが設けられている。
【０００６】
合成樹脂製の第１外装ケース３６は、保護回路基板３５ａを覆う基板被覆部３６ａと、前記一端面側を覆う一端面被覆部３６ｂと、他端面側を覆う他端面被覆部３６ｃとを備える。基板被覆部３６ａには、保護回路基板３５ａの電極端子３５ｂを露出させるための窓部３６ｄが形成されている。一端面被覆部３６ｂには、係止凹部３６ｅが設けられており、他端面被覆部３６ｃには、係止凸部３６ｆが設けられている。
【０００７】
第２外装ケース３７は、素電池３２の他側面を覆う他側面被覆部３７ａと、前記一端面側を覆う一端面被覆部３７ｂと、他端面側を覆う他端面被覆部３７ｃとを備える。一端面被覆部３７ｂには、係止凸部３７ｄが設けられており、他端面被覆部３７ｃには、係止凹部３７ｅが設けられている。
【０００８】
電池パック３１の組み立てに際しては、素電池３２の他側面及び両端面に沿って、両面粘着テープ３８を貼付した後、一側面に、順次、絶縁板３３、スペーサ３４及び保護回路部３５を重ねて、組電池３９を得る。さらに、一側面を第１外装ケース３６で覆い、他側面を第２外装ケース３７で覆い、係止凹部３６ｅと係止凸部３７ｄとを係止させ、係止凸部３６ｆと係止凹部３７ｅとを係止させることにより第１外装ケース３６と第２外装ケース３７とを一体化させる。最後にラベル４０を組電池３９の平面部に貼付・位置決めし、第１外装ケース３６及び第２外装ケース３７を巻き込んで貼付することにより電池パック３１が得られる。
【０００９】
特許文献１には、外装ケースを素電池の両側面及び両端面をカバーする方形枠形に成形し、素電池の両平面と、外装ケースの上下の端面及び一側面とを絶縁シートで覆った電池パックの発明が開示されている。この電池パックでは、電池パックの厚みを薄くすることが図られている。
特許文献２には、ラベルが、切り込みを有し、素電池の表面に付着される基材層と、基材層の表面に積層される表面層とからなる電池パックの発明が開示されている。この電池パックでは、素電池にラベルを付着するときに破れるのが防止されている。
【特許文献１】特開２００４−３２７１７６号公報
【特許文献２】特開２００５−１３５７７０号公報
【発明の開示】
【発明が解決しようとする課題】
【００１０】
上述の従来の電池パックにおいては、ラベルを素電池に貼付するときに、枠状の外装ケースに回転力がかかり、分離している部分付近で外装ケースがずれたり、前記部分でずれによる段差が生じやすく、これを防止しなければならなかった。
特許文献２の電池パックの場合、外装ケースの周縁端部が素電池の平面まで上下に張り出した構成であるので、外装ケースのずれは抑制されているが、電池パックの上下に外装ケースが張り出している分、電池パックの厚みが大きくなり、薄型化が図れないという問題がある。
【００１１】
特許文献１の構成の電池パックの場合、素電池の周縁端部に設けられている湾曲部の曲率半径が大きいときは、外装ケース周縁端部の素電池平面への係り代を十分に設けることが出来るが、図９のように、曲率半径が小さいときは、外装ケース周縁端部の素電池平面への係り代が小さいか、又は全く取れることが出来ないため、接着剤又は粘着剤を使用して外装ケースを素電池に固定しなければならないという問題があった。
このとき、接着剤を使用して固定すると、接着剤のはみ出し及び添加剤（乾燥剤）による白化等で外観上の不具合が発生するおそれがある。また、接着剤が硬化するまでの間に外装ケースと素電池との間に、ずれ及び隙間が生じるおそれがある。通常はこの接着剤による不具合を避けるために粘着剤を使用する場合が多いが、電池パックの構造的な点から外装ケースと素電池との粘着面積を十分に確保することが困難であり、粘着強度を十分に確保することが出来ず、ラベルの巻き付け時にラベルにかかる張力により外装ケースが引きずられて、適正位置からずれることがあった。
【００１２】
本発明は、斯かる事情に鑑みてなされたものであり、外装枠をスペーサに係止させることにより、ラベルの巻き付け時に外装枠が引きずられず、外装枠が適正位置からずれることがない、薄型の電池パックを提供することを目的とする。
【課題を解決するための手段】
【００１３】
第１発明の電池パックは、平板状の素電池の側面の外側に、外部出力端子を有する保護回路基板を配し、該保護回路基板をリード板を介し前記素電池の端子に接続してなる組電池と、該組電池の側面を覆う外装枠とを備え、該外装枠は、少なくとも１の分断部を有し、該分断部の対向する端部同士を嵌合する電池パックにおいて、前記分断部と、該分断部に対向する前記組電池の側面との間に、該側面に沿って延在し、係止部を有するスペーサを備え、前記外装枠の端部の近傍に、前記係止部を係止してあることを特徴とする。
【００１４】
本発明においては、外装枠の対向する端部同士を嵌合する位置に対応する素電池の側面にスペーサを配し、スペーサの係止部を前記端部の近傍に係止させた上で、対向する端部を嵌合するので、組電池及び外装枠をラベルで巻き付けるときにラベルに張力がかかっても外装枠が引きずられず、外装枠が適正位置からずれることなく、電池パックを組み立てることが出来る。
【００１５】
第２発明の電池パックは、前記係止部が、前記スペーサの延在方向に延びるリブからなり、前記外装枠の端部の近傍に、前記リブに嵌合する凹溝を備えることを特徴とする。
【００１６】
本発明においては、スペーサのリブを外装枠の凹溝に嵌合した上で、外装枠の対向する端部を嵌合するので、外装枠が係止部に確実に係止され、外装枠のずれがさらに確実に抑制される。
【００１７】
第３発明の電池パックは、前記係止部が、前記スペーサの延在方向に延びる凹溝からなり、前記外装枠の端部の近傍に、前記凹溝に嵌合するリブを備えることを特徴とする。
【００１８】
本発明においては、スペーサの凹溝を外装枠のリブに嵌合した上で、外装枠の対向する端部を嵌合するので、外装枠が係止部に確実に係止され、外装枠のずれがさらに確実に抑制される。
【００１９】
第４発明の電池パックは、前記スペーサが、前記リード板と前記端子との間を絶縁することを特徴とする。
【００２０】
本発明においては、スペーサが絶縁板を兼ねるので、部品数を減じることが出来、電池パックがコンパクトになる。
【００２１】
第５発明の電池パックは、前記素電池は、一側面に電極端子が突設されており、前記スペーサは、前記素電池の少なくとも前記電極端子が突設された側面に配してあることを特徴とする。
【００２２】
電極端子が設けられている側面は、両面粘着テープの粘着面積が十分に確保出来ず、他側面より外側に突出しており、ラベルの貼付時に外装枠がずれやすい。本発明においては、電極端子が設けられている側面は、外装枠をスペーサに係止させて、外装枠のずれを抑制し、他側面は、両面粘着テープの粘着力によってずれを抑制することで、スペーサを製造するための金型の費用及びスペーサ自体の単価をより下げることが出来る。
【００２３】
第６発明の電池パックは、前記スペーサが配される素電池の側面の長手端部が湾曲面をなし、該湾曲面の曲率半径が１．０以下であることを特徴とする。
【００２４】
本発明においては、素電池の側面の長手端部の曲率半径が小さく、外装枠の長手端部の素電池の平面への係り代が小さいか、又は全く取ることが出来ない場合でも、スペーサの係止部を外装枠に係止させることで、接着剤及び粘着剤を使用して外装枠を固定することなく、外装枠のずれを抑制することが出来る。
【００２５】
第７発明の電池パックは、前記スペーサは、前記素電池の前記保護回路基板を配する側面と該保護回路基板との間に介在する基板当接部を連設してあることを特徴とする。
【００２６】
本発明においては、基板当接部を連設してあり、スペーサを組電池の２以上の側面に対向させた上で、この基板当接部に保護回路基板を当接させて保護回路基板を配するので、保護回路基板の素電池への位置決めが確実になる。
【発明の効果】
【００２７】
本発明によれば、外装枠がスペーサに係止されているので、ラベルの巻き付け時にラベルに張力がかかっても外装枠が引きずられず、外装枠が適正位置からずれることなく、電池パックを組み立てることが出来る。そして、外装枠が素電池の厚み方向に突出することなく、外装枠を素電池に固定することが出来るので、電池パックの厚みを薄くすることが出来る。また、スペーサは、外装枠の内側に収容されるので、電池パックの外形寸法が大きくなることがない。
【発明を実施するための最良の形態】
【００２８】
以下本発明をその実施の形態を示す図面に基づき具体的に説明する。
実施の形態１．
図１は、本発明の実施の形態１に係る電池パック１を示す斜視図、図２は、電池パック１の分解斜視図である。
電池パック１の素電池２は、その内部に正極及び負極をセパレータを介して巻回した発電要素からなる非水電解質二次電池、例えばリチウムイオン二次電池等の二次電池を備え、この発電要素はアルミニウム又はアルミニウム合金製であり、直方体状のケースに収納してなる。素電池２の一端面には、絶縁板を介して負極端子２ａが設けられており、この負極端子２ａが設けられた部分以外の素電池２の全体が正極（端子）とされる。
【００２９】
素電池２の負極端子２ａが設けられている一端面、これに隣接する一側面及び前記一端面に対向する他端面には、コの字状に両面粘着テープ３が貼付されている。両面粘着テープ３には、この両面粘着テープ３と形状が一致するスペーサ４が貼付されている。スペーサ４は、両端面側に配する端面当接部４ａ，４ｂ、及び側面側に配する基板当接部４ｃを備える。
【００３０】
そして、スペーサ４には、保護回路部５が取り付けられている。保護回路部５の保護回路基板５ａは、素電池２の過充電又は過放電等を防止するための保護回路を備える。保護回路基板５ａの素電池２と対向する面に回路素子（図示せず）が実装されており、反対側、即ち外側の面の一端部側には、外部へ電力を取り出し、また逆に充電のために外部から電力を取り込むための正負極の電極端子５ｂが金メッキにより設けられている。他端部側にはＰＴＣ素子５ｃが設けられている。そして、保護回路基板５ａの両端部には、素電池２の両端面側に配するリード板部５ｄ，５ｅが設けられている。
【００３１】
合成樹脂製の第１外装ケース６は、保護回路基板５ａを覆う基板被覆部６ａと、前記一端面の略半分を覆う一端面被覆部６ｂと、他端面の略半分を覆う他端面被覆部６ｃとを備える。基板被覆部６ａには、保護回路基板５ａの電極端子５ｂを露出させるための窓部６ｄが形成されている。一端面被覆部６ｂには、係止凹部６ｅが設けられており、他端面被覆部６ｃには、係止凸部６ｆが設けられている。
【００３２】
第２外装ケース７は、素電池２の他側面を覆う他側面被覆部７ａと、前記一端面の略半分を覆う一端面被覆部７ｂと、他端面の略半分を覆う他端面被覆部７ｃとを備える。一端面被覆部７ｂには、係止凸部７ｄが設けられており、他端面被覆部７ｃには、係止凹部７ｅが設けられている。
【００３３】
図３は、スペーサ４、第１外装ケース６及び第２外装ケース７を示す拡大斜視図である。
スペーサ４の端面当接部４ａの上下の端部には、この長手方向に延びるリブ４ｅ，４ｆが設けられており、同様に、端面当接部４ｂの上下の端部には、この長手方向に延びるリブ４ｇ，４ｈが設けられている。端面当接部４ａの中央部には、素電池２の負極端子２ａを貫通させるための貫通孔４ｄが設けられており、端面当接部４ｂの中央部には、素電池２に設けられたリード取付板（図示せず）を貫通させるための貫通孔４ｉが設けられている。
【００３４】
第１外装ケース６には、他端面被覆部６ｃの上下の端部から所定間隔を隔てた位置に、他端面被覆部６ｃの長手方向に延びる突起部６ｇ，６ｉが設けられており、この突起部６ｇ，６ｉと両端部との間に、前記リブ４ｇ，４ｈがガタなくスムースに嵌合されるように、溝部６ｈ，６ｊが形成されている。一端面被覆部６ｂにも、突起部が設けられており、両端部と突起部との間で、溝部が形成されている（図示せず）。
第２外装ケース７には、一端面被覆部７ｂの上下の端部から所定間隔を隔てた位置に、一端面被覆部７ｂの長手方向に延びる突起部７ｆ，７ｈが設けられており、この突起部７ｆ，７ｈと両端部との間に、前記リブ４ｅ，４ｆがガタなくスムースに嵌合されるように、溝部７ｇ，７ｉが形成されている。同様に、他端面被覆部７ｃにも突起部７ｊ，７ｍが設けられており、この突起部７ｊ，７ｍと両端部との間に、前記リブ４ｇ，４ｈが嵌合されるように、溝部７ｋ，７ｎが形成されている。
【００３５】
この電池パック１の組み立てに際しては、素電池２の他側面及び両端面に沿って、両面粘着テープ３を貼付し、この両面粘着テープ３に、負極端子２ａを貫通孔４ｄを貫通させた状態でスペーサ４を貼着する。さらに、スペーサ４の外側に保護回路部５を配し、リード板部５ｄ及び５ｅをそれぞれ負極端子２ａ及びリード取付板にスポット溶接し、組電池９を得る。
【００３６】
そして、第１外装ケース６の基板被覆部６ａを保護回路基板５ａの外側に配し、一端面被覆部６ｂを、その溝部にスペーサ４のリブ４ｅ，４ｆが嵌合するように取り付け、他端面被覆部６ｃを、その溝部６ｈ，６ｊにスペーサ４のリブ４ｇ，４ｈが嵌合するように取り付ける。
第２外装ケース７の他側面被覆部７ａを他側面に配し、一端面被覆部７ｂを、その溝部７ｇ，７ｉにスペーサ４のリブ４ｅ，４ｆが嵌合するように取り付け、嵌合凸部７ｄを第１外装ケース６の嵌合凹部６ｅに嵌合する。そして、他端面被覆部７ｃを、その溝部７ｋ，７ｎにスペーサ４のリブ４ｇ，４ｈが嵌合するように取り付け、嵌合凹部７ｅを第１外装ケース６の嵌合凸部６ｆに嵌合する。これにより、第１外装ケース６と第２外装ケース７とが一体化されて、枠状となる（外装枠）。
【００３７】
図４は、素電池２（組電池９）に第２外装ケース７を取り付けた状態を示す、組電池９の長手方向の縦断面図である。組電池９の大きさが略縦２５ｍｍ×横３６ｍｍ×厚み６ｍｍである場合、リブ４ｅ等は、断面幅寸法及び高さ寸法がともに０．２ｍｍ以上であるのが好ましく、一例として、断面幅寸法が０.２５ｍｍであり、断面高さ寸法が０．２５ｍｍである場合が挙げられる。溝部７ｇ等は、リブ４ｅ等をガタなくスムースに嵌合出来る寸法であればよく、一例として、断面幅寸法が０.３ｍｍであり、断面高さ（深さ）寸法が０．３ｍｍである場合が挙げられる。
素電池２のスペーサ４が配される側面の厚み方向の両端部は湾曲面２ｂ，２ｂをなし、この湾曲面２ｂ，２ｂの曲率半径は０．７５である。このように曲率半径が１．０以下であって小さく、第２外装ケース７の両端部の素電池２の平面への係り代が小さいか、又は全く取ることが出来ない場合でも、スペーサ４のリブ４ｅ等を第２外装ケース７の溝部７ｇ等に係止させることで、接着剤や粘着剤を使用することなく、第２外装ケース７が組電池９に固定されている。
【００３８】
最後にラベル１０を組電池９の平面部に貼付・位置決めし、第１外装ケース６及び第２外装ケース７を巻き込んで貼付することにより電池パック１が得られる。
【００３９】
本実施形態においては、第１外装ケース６及び第２外装ケース７が嵌合される位置に対応する素電池２の側面にスペーサ４を配し、第１外装ケース６及び第２外装ケース７を嵌合するときに、スペーサ４のリブ４ｅ等を第１外装ケース６及び第２外装ケース７の溝部７ｇ等に係止させるので、組電池９、第１外装ケース６及び第２外装ケース７をラベル１０で巻き付けるときにラベル１０に張力がかかっても第１外装ケース６及び第２外装ケース７が引きずられず、第１外装ケース６及び第２外装ケース７が適正位置からずれることなく、電池パック１を組み立てることが出来る。
スペーサ４は絶縁板を兼ねており、素電池２の外郭（正極）とリード板部５ｄとの間、素電池２の外郭とＰＴＣ素子５ｃとの間、素電池２の外郭と保護回路基板５ａの部品（負極）との間、素電池２の負極端子２ａの周辺部近傍等を絶縁する。これにより、部品数を減じることが出来、電池パック１がコンパクトになる。また、端面当接部４ａ，４ｂを素電池２の両端面に当接させ、基板当接部４ｃを素電池２の側面に当接させた後、基板当接部４ｃに保護回路基板５ａを当接させた状態で保護回路部５を配するので、保護回路部５の素電池２への位置決めが確実になる。
【００４０】
実施の形態２．
図５は、本発明の実施の形態２に係る電池パック１１を示す分解斜視図、図６は、スペーサ１５、第１外装ケース１７及び第２外装ケース１８を示す拡大斜視図である。
電池パック１１の素電池１２の一端面には、絶縁板を介して負極端子１２ａが設けられており、この負極端子１２ａが設けられた部分以外の素電池１２の全体が正極（端子）とされる。
【００４１】
素電池１２の負極端子１２ａが設けられている一端面の略半分、これに隣接する一側面及び前記一端面に対向する他端面には、コの字状に両面粘着テープ１３が貼付されている。同様に、素電池１２の他側にも、両面粘着テープ１４が貼付されている。両面粘着テープ１３には、スペーサ１５が貼付されている。スペーサ１５は、一端面側に配する端面当接部１５ａ及び基板当接部１５ｂを備え、端面当接部１５ａの中央部には、負極端子１２ａを貫通させる貫通孔１５ｃが設けられている。
【００４２】
そして、スペーサ１５には、保護回路部１６が取り付けられている。保護回路部１６の保護回路基板１６ａには、正負極の電極端子１６ｂが金メッキにより設けられ、ＰＴＣ素子１６ｃが設けられている。そして、保護回路基板１６ａの両端部には、素電池１２の両端面側に配するリード板部１６ｄ，１６ｅが設けられている。
スペーサ１５の端面当接部１５ａの上下の端部には、この長手方向に延びるリブ１５ｄ，１５ｅが設けられている。
【００４３】
第１外装ケース１７は、保護回路基板１６ａを覆う基板被覆部１７ａと、前記一端面の略半分を覆う一端面被覆部１７ｂと、他端面の略半分を覆う他端面被覆部１７ｃとを備える。基板被覆部１７ａには、保護回路基板１６ａの電極端子１６ｂを露出させるための窓部１７ｄが形成されている。一端面被覆部１７ｂには、係止凹部１７ｅが設けられており、他端面被覆部１７ｃには、係止凸部１７ｆが設けられている。
第１外装ケース１７の一端面被覆部１７ｂの上下の端部から所定間隔を隔てた位置には、端面被覆部１７ｂの長手方向に延びる突起部が設けられており、この突起部と両端部との間に、前記リブ１５ｄ，１５ｅがガタなくスムースに嵌合されるように、溝部が形成されている（図示せず）。
【００４４】
第２外装ケース１８は、素電池１２の他側面を覆う他側面被覆部１８ａと、前記一端面を覆う一端面被覆部１８ｂと、他端面を覆う他端面被覆部１８ｃとを備える。一端面被覆部１８ｂには、係止凸部１８ｄが設けられており、他端面被覆部１８ｃには、係止凹部１８ｅが設けられている。
第２外装ケース１８には、一端面被覆部１８ｂの上下の端部から所定間隔を隔てた位置に、一端面被覆部１８ｂの長手方向に延びる突起部１８ｆ，１８ｈが設けられており、この突起部１８ｆ，１８ｈと両端部との間に、前記リブ１５ｄ，１５ｅが嵌合されるように、溝部１８ｇ，１８ｉが形成されている。
【００４５】
この電池パック１１の組み立てに際しては、素電池１２の側面に沿って、両面粘着テープ１３、１４を貼付し、負極端子１２ａを貫通孔１５ｃを貫通させた状態でスペーサ１５を貼着する。さらに、スペーサ１５の外側に保護回路部１６を配し、リード板部１６ｄ及び１６ｅをそれぞれ負極端子１２ａ及びリード取付板にスポット溶接し、組電池１９を得る。
【００４６】
そして、第１外装ケース１７の基板被覆部１７ａを保護回路基板１６ａの外側に配し、一端面被覆部１７ｂをその溝部にスペーサ１５のリブ１５ｄ，１５ｅが嵌合するように取り付ける。
第２外装ケース１８の他側面被覆部１８ａを素電池１２の他側面に配し、一端面被覆部１８ｂをその溝部１８ｇ，１８ｉにスペーサ１５のリブ１５ｄ，１５ｅが嵌合するように取り付け、嵌合凸部１８ｄを第１外装ケース１７の嵌合凹部１７ｅに嵌合する。そして、他端面被覆部１８ｃの嵌合凹部１８ｅを第１外装ケース１７の嵌合凸部１７ｆに嵌合する。
【００４７】
本実施形態においては、両面粘着テープ１３、１４の粘着面積が確保しにくく、外側に突出している、負極端子１２ａが設けられている方の端面側にスペーサ１５を配し、第１外装ケース１７及び第２外装ケース１８をスペーサ１５のリブ１５ｄ，１５ｅに係止させるので、組電池１９、第１外装ケース１７及び第２外装ケース１８をラベル２０で巻き付けるときにラベル２０に張力がかかっても第１外装ケース１７及び第２外装ケース１８が引きずられず、第１外装ケース１７及び第２外装ケース１８が適正位置からずれることなく、電池パック１１を組み立てることが出来る。
他端面側においては、両面粘着テープ１３、１４の粘着力によってずれを抑制するので、スペーサ１５を略Ｌ字状とすることが出来、スペーサ１５を製造するための金型の費用及びスペーサ１５自体の単価をより下げることが出来る。
【００４８】
実施の形態３．
図７は、本発明の実施の形態３に係る電池パックの組電池２９に第２外装ケース２７を取り付けた状態を示す、組電池２９の長手方向の縦断面図である。
素電池２２の一端面には、負極端子２２ａが設けられている。この端面には、負極端子２２ａを貫通させた状態で、両面粘着テープ２３、スペーサ２４及び第２外装ケース２７が設けられている。負極端子２２ａには、リード板部２５がスポット溶接されている。
【００４９】
スペーサ２４の上下には、スペーサ２４が延在する方向に延びる溝部２４ａ，２４ｂが設けられており、第２外装ケース２７には、溝部２４ａ，２４ｂに嵌合されるリブ２７ａ，２７ｂが設けられている。第１外装ケースも同様に、溝部２４ａ，２４ｂに嵌合される一対のリブが設けられている（図示せず）。
本実施形態においては、組電池２９、第１外装ケース及び第２外装ケース２７をラベルで巻き付けるときにラベルに張力がかかっても第１外装ケース及び第２外装ケース２７が引きずられず、第２外装ケース２７が適正位置からずれることなく、電池パックを組み立てることが出来る。
【００５０】
なお、前記実施の形態１乃至３においては、スペーサの上下の端部側にリブ又は溝部を設け、第１外装ケース及び第２外装ケースの上下の端部側に溝部又はリブを設けた場合につき説明しているがこれに限定されるものではなく、少なくとも１の端部側に設ければよい。また、第１外装ケース及び第２外装ケースは、突起部を設けて、突起部と端部との間に溝部を形成する場合に限定されない。
そして、外装ケースは２分割している（外装ケースが２箇所の分断部を有する）ものに限定されず、外装ケースの１箇所が分断されており、この分断部の対向する端部同士を嵌合するように構成されているものでもよい。
さらに、素電池は一端面に負極端子が設けられ、この負極端子が設けられている部分以外の部分が正極端子とされる場合に限定されない。
【図面の簡単な説明】
【００５１】
【図１】本発明の実施の形態１に係る電池パックを示す斜視図である。
【図２】電池パックの分解斜視図である。
【図３】スペーサ、第１外装ケース及び第２外装ケースを示す拡大斜視図である。
【図４】素電池（組電池）に第２外装ケースを取り付けた状態を示す、組電池の長手方向の縦断面図である。
【図５】本発明の実施の形態２に係る電池パックを示す分解斜視図である。
【図６】スペーサ、第１外装ケース及び第２外装ケースを示す拡大斜視図である。
【図７】本発明の実施の形態３に係る電池パックの組電池に第２外装ケースを取り付けた状態を示す、組電池の長手方向の縦断面図である。
【図８】従来の電池パックを示す分解斜視図である。
【図９】図８の電池パックの組電池の長手方向の縦断面図である。
【符号の説明】
【００５２】
１、１１、  電池パック
２、１２、２２  素電池
３、１３、１４、２３  両面粘着テープ
４、１５、２４  スペーサ
４ｅ、４ｆ、４ｇ、４ｈ、１５ｄ、１５ｅ  リブ
５、１６  保護回路部
６、１７  第１外装ケース
７、１８、２７  第２外装ケース
６ｈ、６ｊ、７ｇ、７ｉ、７ｋ、７ｎ  溝部
６ｅ、７ｅ、１７ｅ、１８ｅ  嵌合凹部
６ｆ、７ｄ、１７ｆ、１８ｄ  嵌合凸部
１０、２０  ラベル
２４ａ、２４ｂ  溝部
２７ａ、２７ｂ  リブ
【図１】
2007157452.tif 000003
【図２】
2007157452.tif 000004
【図３】
2007157452.tif 000005
【図４】
2007157452.tif 000006
【図５】
2007157452.tif 000007
【図６】
2007157452.tif 000008
【図７】
2007157452.tif 000009
【図８】
2007157452.tif 000010
【図９】
2007157452.tif 000011